(57)【特許請求の範囲】
【請求項１】
釘打機の引き金本体に設けられる引き金のシフトレバー切り換え構造であり、前記引き金は、ピン枢支端、トリガー及び作動片が設けられている、前記切り換え構造において、
ガイド溝は、引き金本体の両側にあるピン枢支端及びトリガー側との間に設けられ、引き金を片側向きに貫通した空間形式であり、その一端がトリガー側にあり、他の一端がピン枢支端側にあり、前記ガイド溝にはトリガー側に近い第一定位部とピン枢支端側に近い第二定位部が間隔を置いて設けられており、
シフトレバーは、ガイド溝を通って設けられ、前記作動片の片側に接続しており、前記シフトレバーの両側は、それぞれ制御ボタンと位置制限部があり、前記制御ボタンは容槽があり、前記容槽は弾力定位体が設けられており、前記弾力定位体は弾力嵌合部があり、前記制御ボタンは前記ガイド溝の片側に設けられ、それによりレバー押しが簡単に行われるようにし、また、前記位置制限部により、シフトレバーがガイド溝の一端の位置に制限され、
前記第一定位部と第二定位部の間で、前記制御ボタンを押して位置を動かすと、同時に、前記作動片の位置移動が連動され、前記制御ボタンが予定の第一位置に移されたとき、前記弾力定位体の弾力嵌合部は、第一定位部と相互に嵌め合わせて、その位置に固定されるようになり、且つ、制御ボタンが予定の第二位置に移されたとき、第二定位部と相互に嵌め合わせて、その位置に固定されるようになることを特徴とする引き金のシフトレバー切り換え構造。
【請求項２】
前記ガイド溝は、内側の長形貫通孔、及び外側の拡槽部からなるものであることを特徴とする請求項１に記載の引き金のシフトレバー切り換え構造。
【請求項３】
前記第一、第二定位部は、貫通孔形態であることを特徴とする請求項１または請求項２に記載の引き金のシフトレバー切り換え構造。
【請求項４】
前記シフトレバーの位置制限部は、シフトレバーの片側に設けられるスナップリングの構造形式であることを特徴とする請求項１から請求項３の何れかに記載の引き金のシフトレバー切り換え構造。
【請求項５】
前記弾力定位体は、弾力部品と玉体からなるものであり、順序にシフトレバーの容槽に設けられ、それにより、前記容槽より突出した玉体の頂上部側が弾力嵌合部を形成することを特徴とする請求項１から請求項４の何れかに記載の引き金のシフトレバー切り換え構造。
【請求項６】
前記シフトレバーは、更に、前記弾力定位体が設けられるための容槽を有することを特徴とする請求項１から請求項５の何れかに記載の引き金のシフトレバー切り換え構造。
【請求項７】
制御ボタン及び位置制限部の両方が、前記シフトレバーの両側に設けられる請求項１に記載の引き金のシフトレバー切り換え構造。
【発明の詳細な説明】
【技術分野】
【０００１】
本発明は、釘打機のシフトレバー切り換え構造に係り、特にその引き金部に設けられるオリジナルなシフトレバー切り換え構造に関する。
【背景技術】
【０００２】
ユーザの必要に応じて、現在、多くの釘打機は単発と連発の切り換え機能が備わっているが、本発明は特に、その切り換え構造を引き金部に設ける形式として、作られた新しいものである。
従来の構造については、まず、図１に示すように、切り換え装置は、偏心調整バー１０と頂掣片２０が設けられ、前記偏心調整バー１０は、押え板１１、偏心バー１２及びツマミ１３からなるものであり、前記偏心調整バー１０は、引き金０５を貫通し、穿置槽０６の中に設けられるものであり、従来の構造は普通の場合、前記ツマミ１３は、押え板１１がリセットスプリング１４に支えられたことにより、内縮状態となる。ユーザがツマミ１３を外へ引き出し、それを回し調整して（図２に示すように）、更に、偏心バー１２を偏心回転にさせ、また、頂掣片２０を上下移動にさせるように連動し、それによって、バンパーとの相対位置の変化が生じており、それから、弾力を回復させるようにツマミ１３を緩めたら、切り換え動作が完了。しかし、従来の構造が実際に使われたとき、その切り替え操作が不便なものであり、普通はまず、釘打機を置いて、又は角度の調整をしてから、指でツマミ１３を持って、引き出した後、それを回転し、位置が決められるようになり、また、それを緩めてから、初めて切り替え完了となり、その切り替え全体はとても不便な過程であり、また、前記ツマミ１３は手で制御できる部分が、引き金の狭いスペースに制限されており、十分に理想的な操作スペースがなく、操作のときもかなり大変なことである。
【０００３】
また、図３に示すのは、従来のもう一つの構造だが、その切り換え構造は、シャフト３０、二つのスプリング３１及び二つの押えツマミ３２からなるものであり、前記シャフト３０は、引き金３３の内部に設けられ、二つの押えツマミ３２は対向し、シャフト３０両側の滑り軸部３０１に嵌められており、二つの押えツマミ３２は、その内側がスプリング３１に上の方へ支えられ、弾力が外へ伸ばされるとき、二つの押えツマミ３２の外側の押え縁３２１は、引き金３３及びそれと対向した位置制限３３１に嵌め合わせるようになり、前記シャフト３０及び頂掣片３４を動かそうとする場合、図４に示すように、ユーザは両手で、二つの押えツマミ３２を対向しながら内側へ押して、前記押え縁３２１を位置制限３３１から離れさせるようにしてから、押えツマミ３２を動かし、シャフト３０を移動することができるようになる。この従来の構造は実際に使われたとき、二つの押えツマミ３２への力が均等に押されなくて、その片側は完全に離れずに、嵌めたりする問題点があり、また、操作のとき、両手の指で同時に押えて制御する方法では、釘打機を持っているユーザは、その操作を素早く完成することができないため、不便なこととなる。また、この従来の切換構造に設けられる二つの押えツマミ３２、二つのスプリング３１及びシャフト３０の設計は、業界にとっては、使用部品が煩雑となり、製造コストが高く、組立も効率的でないという問題点がある。
【０００４】
上述のように、従来の釘打機の引き金に設けられる単発、連発の切り替え装置に残された問題点があり、それらを如何に解決して、より簡単で、操作しやすく、便利なオリジナル設計を開発することが、関連業界の人々がそれを考えていく課題である。
【０００５】
それを見て、発明者は数年間、関連製品を製造開発する経験があり、上述の課題を詳しく設計、評価したうえ、確実に実用性がある本発明を提出することができた。
【発明の開示】
【発明が解決しようとする課題】
【０００６】
本発明の主要目的は、引き金のシフトレバー切り換え構造を提供することであり、従来の釘打機の引き金のところに設けられた単発と連発の切り換え構造には操作の不便さ、使用部品の煩雑さ、製造コストが高い、組立作業が不便、という問題点があり、それらを解決しようとすることにある。
【課題を解決するための手段】
【０００７】
本発明の“引き金のシフトレバー切り換え構造”は、主に前記シフトレバー６０の先に設けられる制御ボタン６１、また、前記シフトレバー６０の弾力定位体７０により、シフトレバーが第一又は第二位置に移されたとき、それぞれ第一定位部５１、第二定位部５２に嵌め合わせ、位置が決められるためのオリジナル設計であり、対照される従来の技術に述べた偏心スプリング式切り換え構造（即ち、図１、図２のもの）、又は両側プッシュ式切り換え構造（即ち、図３、図４のもの）に比較すれば、本発明は直接に一本指でレバー押しが行われるシフトレバーの操作、及び作動片位置の切り替えが可能となるため、ユーザは釘打機を置いたり、角度を調整したりする必要がなく、釘打機を持ったままで、操作を行うことができるので、操作が簡単で尚且つうまく行われ、とても実用性、進歩性があるものである。
【０００８】
本発明は、構成部品から言えば、前記シフトレバー６０と制御ボタン６１が一体に成形されることができ、また、弾力定位体７０は簡単なスチール玉とスプリングからできたもので、材料は簡単に手に入れることができるものであり、対照される従来の技術に述べた偏心スプリング式切り換え構造（即ち、図１、図２のもの）、又は両側プッシュ式切り換え構造（即ち、図３、図４のもの）に比較すれば、本発明は構成部品が簡単で、コストが低減されたため、大量生産に適し産業利用性がより好適なものである。
【０００９】
発明は好ましい実施例に関連して説明したが、本発明の精神及び目的から逸脱することなしに変更及び改造が出来る。
【発明を実施するための最良の形態】
【００１０】
図５、６、７に示すのは、本発明における引き金のシフトレバー切り換え構造の好適な実施例である。まず、図５に示すように、前記切り換え構造は、釘打機の引き金４０本体に設けられており、前記引き金４０は、ピン枢支端４１とトリガー側４２があり、釘打機の安全レバー４４に設定された押し出しにより、バルブスイッチ４５と押し込んで、打ち動作を行わせるようにする。
【００１１】
前記切り換え構造においては、ガイド溝４３は、引き金４０のピン枢支端４１とトリガー側４２の間にあり、引き金４０を片側向きに貫通した空間形式である。本実施例のガイド溝４３は、内側の長形貫通孔４３１及び外側の拡槽部４３２からなるものである。
【００１２】
第一定位部５１と第二定位部５２は、貫通孔形態であり、ガイド溝４３に間隔が置かれる予定位置の二箇所にあり、具体的に言えば、図６、１０に示すように、本実施例の第一、第二定位部５１ ５２は、引き金４０のピン枢支端４１とトリガー側４２の間を対向した方向に沿いながら、縦向きに平行設置される二つの貫通孔であり、孔の底部はガイド溝４３の外側の拡槽部４３２に対して、縦向きの貫通した空間形式となる。
【００１３】
シフトレバー６０は、ガイド溝４３を通り、その中に設けられており、引き金４０のピン枢支端４１とトリガー側４２の間を対向した方向に沿い、予定距離の位置が行われるものであり、前記シフトレバー６０の片側に制御ボタン６１があり、レバー押しをうまく行わせるようにするものであり、また、シフトレバー６０は定位セクション６２があり、シフトレバー６０が予定の第一位置に移されたとき、第一定位部５１の相対位置にあり、シフトレバー６０が予定の第二位置に移されたとき、第二定位部５２の相対位置にあるようにさせるほかに、制御ボタン６１の他方側に位置制限部６５があり、前記位置制限部６５にスナップリング６３を設けることにより、シフトレバー６０を位置制限から離せないようにする。
【００１４】
弾力定位体７０は、シフトレバー６０の設定箇所に設けてある。前記弾力定位体７０は弾力嵌合部７０１があり、シフトレバー６０が第一位置に移されたとき、第一定位部５１と相互に嵌め合わせ、位置が決められるようにし、また、シフトレバー６０が第二位置に移されたとき、第二定位部５２と相互に嵌め合わせ、位置が決められるようにする。本実施例の弾力定位体７０は、弾力部品７１と一玉体７２からなるものであり、シフトレバー６０の定位セクションに設けられた容槽６４へ、弾力部品７１、玉体７２を順序に入れ込んで、前記定位セクション６２より突出した玉体７２の頂上部側を、前記弾力嵌合部７０１を形成させるようにする。
【００１５】
作動片８０は長形片体であり、その第一側８１はシフトレバー６０の中間部に繋がり、第二側は対向した方向へ伸ばされ、駆動部８２が形成される。前記受動部は図５に示すように、釘打機の安全レバー４４に支え動かされる部分を特徴とする。
【００１６】
上述の構造、組合設計により、本発明は以下に詳細に説明するように動作する。
【００１７】
本発明のシフトレバー６０の操作制御は、図１〜４に掲示される従来の構造と異なり、本発明のシフトレバー６０はその先に、レバー押しが行なわれるための制御ボタン６１が設けられている。操作のとき、指一本で前記制御ボタン６１を押せば、シフトレバー６０を動かすことができるので、それを押したり、回転したりする複雑な動作が不要であり、そこから、本発明は従来の構造より、操作がより便利になることが裏付けられる。
【００１８】
図５、９、１０は、前記シフトレバー６０が第一位置に移されたとき、弾力定位体７０の弾力嵌合部７０１と引き金４０の第一定位部５１とが相互に嵌め合わせる状態である。前記作動片８０は引き金４０のトリガー４２側へ移動した状態にあり、釘打機は単発モードと設定され、従来の構造の場合と同じ原理が行われるものである。その状態で、安全レバー４４は釘打ち予定の対象物に押し付けたとき、安全レバー４４が作動片８０の駆動部８２を内側へ動かそうと押して、バルブスイッチ４５に接触させるようにする。そこで、引き金４０を引くと、一発が打たれて、そして、打ち終わったところで、釘打機の後座力により、安全レバー４４が対象物から離れ、作動片８０の駆動部８２が開放状態に戻ると同時に、そこで、前記駆動部８２は安全レバー４４の作動ルートから離れたため、ユーザが続いて引き金を引いて、安全レバー４４を対象物に押し込んでも、打ち出せないこととなり、それが前記単発モードである。
【００１９】
図１１に示すように、ユーザが前記シフトレバー６０を押して、第一定位部５１から第二定位部５２に移されたとき、弾力定位体７０の玉体７２は下降させられるようになり、そして、弾力部品７１は押し縮められる。
【００２０】
また、図５、１２、１３に示すように、前記シフトレバー６０が第二位置に移され、弾力定位体７０の弾力嵌合部７０１が引き金４０の第二定位部５２と整列する。前記玉体７２は、弾力部品７１に上のほうへ支えられ、再度嵌め合わせて、位置が決められるようになる。そのとき、前記作動片８０が引き金４０のピン枢支端４１へ移動した状態となり、その状態で、連発モードと設定される。即ち、その状態で、安全レバー４４は、釘打ち予定の対象物に押し付けたとき、安全レバー４４が同じく作動片８０の駆動部８２を内側へ動かそうと押して、バルブスイッチ４５に接触させようにし、そこで、引き金４０を引いたら、同様に一発が打たれるが、違うのは、前記作動片８０の駆動部８２が延びて移動した経路に存在していることによって、打ち終わったところで尚且つ安全レバー４４が対象物から離れたとき、前記作動片８０の駆動部８２はなおも安全レバー４４の作動ルートに位置していることである。よって、ユーザが引き金を引き続け、安全レバー４４を対象物に押し付けると、前記駆動部８２が直接に内側へ押し出され、バルブスイッチ４５に接触すると、釘打ちが行われるようになり、それで、連発モードになる。
【００２１】
また、前記シフトレバー６０の制御ボタン６１は、図６のようにシフトレバーの片側に設けられるほかに、図１４のように、シフトレバー６０の両側にそれぞれ制御ボタン６１、６１及び位置制限部６５、６５が設けられてもよい。それにより、二つの操作方法が提供され、ユーザには便利である。
【図面の簡単な説明】
【００２２】
【図１】従来の偏心スイッチ機構の分解斜視図である。
【図２】図１の従来例の断面図である。
【図３】従来の押しスイッチ機構の斜視図である。
【図４】図２の従来例の断面図である。
【図５】本発明の切り換えレバースイッチ機構の断面図である。
【図６】図５の本発明の好適な実施例の分解斜視図である。
【図７】図５の本発明の好適な実施例の組立てた状態の斜視図である。
【図８】図５の本発明の好適な実施例の平面図である。
【図９】図５の本発明の好適な実施例の作動状態の平面図である。
【図１０】図５の本発明の好適な実施例の作動状態の断面図である。
【図１１】本発明の弾力定位体の作動状態を拡大して示す図である。
【図１２】本発明の好適な実施例の別の作動状態の平面図である。
【図１３】図１２の本発明の好適な実施例の作動状態の断面図である。
【図１４】本発明のシフトレバー制御ボタンの設置形態のもう一つの実例例を示す図である。
【符号の説明】
【００２３】
４０  引き金
４１  ピン枢支端
４２  トリガー側
４３  ガイド溝
４３１  長形貫通孔
４３２  拡槽部
４４  バンパー
４５    バルブスイッチ
５１  第一定位部
５２  第二定位部
６０  シフトレバー
６１、６１Ｂ  制御ボタン
６２  定位セクション
６３  スナップリング
６４  容槽
６５  位置制限部
７０  弾力定位体
７０１  弾力嵌合部
７１  弾力部品
７２  玉体
８０  作動片
８１  第一側
８２                受動部
【図１】
0004701204.tif 000002
【図２】
0004701204.tif 000003
【図３】
0004701204.tif 000004
【図４】
0004701204.tif 000005
【図５】
0004701204.tif 000006
【図６】
0004701204.tif 000007
【図７】
0004701204.tif 000008
【図８】
0004701204.tif 000009
【図９】
0004701204.tif 000010
【図１０】
0004701204.tif 000011
【図１１】
0004701204.tif 000012
【図１２】
0004701204.tif 000013
【図１３】
0004701204.tif 000014
【図１４】
0004701204.tif 000015